【手続補正書】
【提出日】平成25年1月22日(2013.1.22)
【手続補正１】
【補正対象書類名】特許請求の範囲
【補正対象項目名】全文
【補正方法】変更
【補正の内容】
【特許請求の範囲】
【請求項１】
デジタル放送受信装置であって、
データ放送アプリケーションと補助情報とを含んだ放送番組データを受信する受信手段と、
前記放送番組データを再生する再生手段と、
前記データ放送アプリケーションを実行する実行手段と、
を備え、
前記補助情報は、前記再生手段で再生中の放送番組データに含まれる番組が他の番組に切り替わった場合に前記実行手段による前記データ放送アプリケーションの実行を終了するか否かを示すアプリケーション制御情報を含み、
前記デジタル放送受信装置は、
前記再生手段で再生中の放送番組データに含まれる番組が終了した後も前記実行手段による前記データ放送アプリケーションの実行を継続させることを指示する継続指示を受け付ける受付手段と、
前記アプリケーション制御情報が、前記再生手段で再生中の放送番組データに含まれる番組が終了した場合に前記実行手段による前記データ放送アプリケーションの実行を終了することを示し、且つ、前記受付手段が前記継続指示を受け付けた場合、前記再生手段で再生中の放送番組データに含まれる番組が終了する前に、前記アプリケーション制御情報を変更する変更手段と、
を更に備えることを特徴とするデジタル放送受信装置。
【請求項２】
デジタル放送受信装置であって、
データ放送アプリケーションと補助情報とを含んだ放送番組データを受信する受信手段と、
前記放送番組データを再生する再生手段と、
前記データ放送アプリケーションを実行する実行手段と、
を備え、
前記補助情報は、前記再生手段で再生中の放送番組データに含まれる番組が他の番組に切り替わった場合に前記実行手段による前記データ放送アプリケーションの実行を終了するか否かを示すアプリケーション制御情報と、前記放送番組データに含まれる番組が終了する時刻を示す時刻情報と、を含み、
前記デジタル放送受信装置は、
前記再生手段で再生中の放送番組データに含まれる番組が終了した後も前記実行手段による前記データ放送アプリケーションの実行を継続させることを指示する継続指示を受け付ける受付手段と、
前記アプリケーション制御情報が、前記再生手段で再生中の放送番組データに含まれる番組が終了した場合に前記実行手段による前記データ放送アプリケーションの実行を終了することを示し、且つ、前記受付手段が前記継続指示を受け付けた場合に、前記再生手段で再生中の放送番組データに含まれる番組が終了する前に、変更前の時刻よりも遅い時刻を示すように前記時刻情報を変更する変更手段と、
を更に備えることを特徴とするデジタル放送受信装置。
【請求項３】
デジタル放送受信装置であって、
データ放送アプリケーションと補助情報とを含んだ放送番組データを受信する受信手段と、
前記放送番組データを再生する再生手段と、
前記データ放送アプリケーションを実行する実行手段と、
を備え、
前記補助情報は、前記再生手段で再生中の放送番組データに含まれる番組が他の番組に切り替わった場合に前記実行手段による前記データ放送アプリケーションの実行を終了するか否かを示すアプリケーション制御情報を含み、
前記デジタル放送受信装置は、
前記再生手段で再生中の放送番組データに含まれる番組が終了した後も前記実行手段による前記データ放送アプリケーションの実行を継続させることを指示する継続指示を受け付ける受付手段と、
前記アプリケーション制御情報が、前記再生手段で再生中の放送番組データに含まれる番組が終了した場合に前記実行手段による前記データ放送アプリケーションの実行を終了することを示し、且つ、前記受付手段が前記継続指示を受け付けた場合、前記再生手段で再生中の放送番組データに含まれる番組が終了する前に、前記放送番組データの受信を停止するように前記受信手段を制御する制御手段と、
を更に備えることを特徴とするデジタル放送受信装置。
【請求項４】
デジタル放送受信装置であって、
データ放送アプリケーションと補助情報とを含んだ放送番組データを受信する受信手段と、
前記放送番組データを再生する再生手段と、
前記データ放送アプリケーションを実行する実行手段と、
を備え、
前記補助情報は、前記再生手段で再生中の放送番組データに含まれる番組が他の番組に切り替わった場合に前記実行手段による前記データ放送アプリケーションの実行を終了するか否かを示すアプリケーション制御情報と、前記放送番組データに含まれる番組を識別する識別情報と、を含み、
前記デジタル放送受信装置は、
前記識別情報を前記実行手段に通知する通知手段と、
前記再生手段で再生中の放送番組データに含まれる番組が終了した後も前記実行手段による前記データ放送アプリケーションの実行を継続させることを指示する継続指示を受け付ける受付手段と、
前記アプリケーション制御情報が、前記再生手段で再生中の放送番組データに含まれる番組が終了した場合に前記実行手段による前記データ放送アプリケーションの実行を終了することを示し、且つ、前記受付手段が前記継続指示を受け付けた場合、前記再生手段で再生中の放送番組データに含まれる番組が終了した後も、当該番組の識別情報を前記実行手段に通知するように前記通知手段を制御する制御手段と、
を更に備えることを特徴とするデジタル放送受信装置。
【請求項５】
前記再生手段で再生中の放送番組データに含まれる番組が終了した後も前記実行手段による前記データ放送アプリケーションの実行を継続させるか否かをユーザに問い合わせる画面を表示する表示手段を更に備えることを特徴とする請求項１から請求項４までのいずれか１項に記載のデジタル放送受信装置。
【請求項６】
前記表示手段は、前記再生手段で再生中の放送番組データに含まれる番組が終了する時刻の所定時間前に前記画面を表示することを特徴とする請求項５に記載のデジタル放送受信装置。
【請求項７】
デジタル放送受信装置の制御方法であって、
前記デジタル放送受信装置の受信手段が、データ放送アプリケーションと補助情報とを含んだ放送番組データを受信する受信工程と、
前記デジタル放送受信装置の再生手段が、前記放送番組データを再生する再生工程と、
前記デジタル放送受信装置の実行手段が、前記データ放送アプリケーションを実行する実行工程と、
を備え、
前記補助情報は、前記再生工程で再生中の放送番組データに含まれる番組が他の番組に切り替わった場合に前記実行工程による前記データ放送アプリケーションの実行を終了するか否かを示すアプリケーション制御情報を含み、
前記制御方法は、
前記デジタル放送受信装置の受付手段が、前記再生工程で再生中の放送番組データに含まれる番組が終了した後も前記実行工程による前記データ放送アプリケーションの実行を継続させることを指示する継続指示を受け付ける受付工程と、
前記デジタル放送受信装置の変更手段が、前記アプリケーション制御情報が、前記再生工程で再生中の放送番組データに含まれる番組が終了した場合に前記実行工程による前記データ放送アプリケーションの実行を終了することを示し、且つ、前記受付工程が前記継続指示を受け付けた場合、前記再生工程で再生中の放送番組データに含まれる番組が終了する前に、前記アプリケーション制御情報を変更する変更工程と、
を更に備えることを特徴とする制御方法。
【請求項８】
デジタル放送受信装置の制御方法であって、
前記デジタル放送受信装置の受信手段が、データ放送アプリケーションと補助情報とを含んだ放送番組データを受信する受信工程と、
前記デジタル放送受信装置の再生手段が、前記放送番組データを再生する再生工程と、
前記デジタル放送受信装置の実行手段が、前記データ放送アプリケーションを実行する実行工程と、
を備え、
前記補助情報は、前記再生工程で再生中の放送番組データに含まれる番組が他の番組に切り替わった場合に前記実行工程による前記データ放送アプリケーションの実行を終了するか否かを示すアプリケーション制御情報と、前記放送番組データに含まれる番組が終了する時刻を示す時刻情報と、を含み、
前記制御方法は、
前記デジタル放送受信装置の受付手段が、前記再生工程で再生中の放送番組データに含まれる番組が終了した後も前記実行工程による前記データ放送アプリケーションの実行を継続させることを指示する継続指示を受け付ける受付工程と、
前記デジタル放送受信装置の変更手段が、前記アプリケーション制御情報が、前記再生工程で再生中の放送番組データに含まれる番組が終了した場合に前記実行工程による前記データ放送アプリケーションの実行を終了することを示し、且つ、前記受付工程が前記継続指示を受け付けた場合に、前記再生工程で再生中の放送番組データに含まれる番組が終了する前に、変更前の時刻よりも遅い時刻を示すように前記時刻情報を変更する変更工程と、
を更に備えることを特徴とする制御方法。
【請求項９】
デジタル放送受信装置の制御方法であって、
前記デジタル放送受信装置の受信手段が、データ放送アプリケーションと補助情報とを含んだ放送番組データを受信する受信工程と、
前記デジタル放送受信装置の再生手段が、前記放送番組データを再生する再生工程と、
前記デジタル放送受信装置の実行手段が、前記データ放送アプリケーションを実行する実行工程と、
を備え、
前記補助情報は、前記再生工程で再生中の放送番組データに含まれる番組が他の番組に切り替わった場合に前記実行工程による前記データ放送アプリケーションの実行を終了するか否かを示すアプリケーション制御情報を含み、
前記制御方法は、
前記デジタル放送受信装置の受付手段が、前記再生工程で再生中の放送番組データに含まれる番組が終了した後も前記実行工程による前記データ放送アプリケーションの実行を継続させることを指示する継続指示を受け付ける受付工程と、
前記デジタル放送受信装置の制御手段が、前記アプリケーション制御情報が、前記再生工程で再生中の放送番組データに含まれる番組が終了した場合に前記実行工程による前記データ放送アプリケーションの実行を終了することを示し、且つ、前記受付工程が前記継続指示を受け付けた場合、前記再生工程で再生中の放送番組データに含まれる番組が終了する前に、前記放送番組データの受信を停止するように前記受信工程を制御する制御工程と、
を更に備えることを特徴とする制御方法。
【請求項１０】
デジタル放送受信装置の制御方法であって、
前記デジタル放送受信装置の受信手段が、データ放送アプリケーションと補助情報とを含んだ放送番組データを受信する受信工程と、
前記デジタル放送受信装置の再生手段が、前記放送番組データを再生する再生工程と、
前記デジタル放送受信装置の実行手段が、前記データ放送アプリケーションを実行する実行工程と、
を備え、
前記補助情報は、前記再生工程で再生中の放送番組データに含まれる番組が他の番組に切り替わった場合に前記実行工程による前記データ放送アプリケーションの実行を終了するか否かを示すアプリケーション制御情報と、前記放送番組データに含まれる番組を識別する識別情報と、を含み、
前記制御方法は、
前記デジタル放送受信装置の通知手段が、前記識別情報を前記実行工程に通知する通知工程と、
前記デジタル放送受信装置の受付手段が、前記再生工程で再生中の放送番組データに含まれる番組が終了した後も前記実行工程による前記データ放送アプリケーションの実行を継続させることを指示する継続指示を受け付ける受付工程と、
前記デジタル放送受信装置の制御手段が、前記アプリケーション制御情報が、前記再生工程で再生中の放送番組データに含まれる番組が終了した場合に前記実行工程による前記データ放送アプリケーションの実行を終了することを示し、且つ、前記受付工程が前記継続指示を受け付けた場合、前記再生工程で再生中の放送番組データに含まれる番組が終了した後も、当該番組の識別情報を前記実行工程に通知するように前記通知工程を制御する制御工程と、
を更に備えることを特徴とする制御方法。
【請求項１１】
前記デジタル放送受信装置の表示手段が、前記再生工程で再生中の放送番組データに含まれる番組が終了した後も前記実行工程による前記データ放送アプリケーションの実行を継続させるか否かをユーザに問い合わせる画面を表示する表示工程を更に備えることを特徴とする請求項７から請求項１０までのいずれか１項に記載の制御方法。
【請求項１２】
前記表示工程では、前記再生工程で再生中の放送番組データに含まれる番組が終了する時刻の所定時間前に前記画面を表示することを特徴とする請求項１１に記載の制御方法。
【手続補正２】
【補正対象書類名】明細書
【補正対象項目名】０００８
【補正方法】変更
【補正の内容】
【０００８】
上記課題を解決するために、第１の本発明は、デジタル放送受信装置であって、データ放送アプリケーションと補助情報とを含んだ放送番組データを受信する受信手段と、前記放送番組データを再生する再生手段と、前記データ放送アプリケーションを実行する実行手段と、を備え、前記補助情報は、前記再生手段で再生中の放送番組データに含まれる番組が他の番組に切り替わった場合に前記実行手段による前記データ放送アプリケーションの実行を終了するか否かを示すアプリケーション制御情報を含み、前記デジタル放送受信装置は、前記再生手段で再生中の放送番組データに含まれる番組が終了した後も前記実行手段による前記データ放送アプリケーションの実行を継続させることを指示する継続指示を受け付ける受付手段と、前記アプリケーション制御情報が、前記再生手段で再生中の放送番組データに含まれる番組が終了した場合に前記実行手段による前記データ放送アプリケーションの実行を終了することを示し、且つ、前記受付手段が前記継続指示を受け付けた場合、前記再生手段で再生中の放送番組データに含まれる番組が終了する前に、前記アプリケーション制御情報を変更する変更手段と、を更に備えることを特徴とするデジタル放送受信装置を提供する。
【手続補正３】
【補正対象書類名】明細書
【補正対象項目名】００３７
【補正方法】変更
【補正の内容】
【００３７】
Ｓ３０７で、アプリ継続制御部１１６は、アプリ実行部１１０へboundフラグ更新通知を送出することにより、service_bound_flagを「０」に更新する。値が「０」であるservice_bound_flagは、番組が切り替わった場合にＤＴＶ１００がアプリプログラムの実行を「終了しないこと」を示す。これにより、service_bound_flagが「１」の場合にアプリ実行部１１０が番組終了時に行うアプリ終了処理がスキップされる。service_bound_flagの更新を番組終了の０．５秒前に行う理由は、次の２点である。第１に、service_bound_flagの更新が必要になるまで処理が行われないため、処理負荷が低減される。第２に、映像合成部１０７と音声合成部１０４にバッファされたデータが次の番組のデータを含まないようにすることができる。本実施形態では、この２点に鑑みて０．５秒前としたが、service_bound_flagの更新のタイミングは特に限定されない。